(57)【要約】【課題】  複合ＡＶ装置等の被制御装置を遠隔操作する多くの操作キーが設けられた多機能リモコン装置であっても、被制御装置の動作を指令する操作キーを探すことなく、操作キーの簡単な操作で被制御装置を遠隔操作することができるようにする。【解決手段】  所定桁数のプログラムキーにリモコン装置の複数の機能キーの機能を割り当て、リモコン装置のテンキーの操作することによりプログラムキーのプログラムの有効／無効に基づいて被制御装置を遠隔操作するようにする。【選択図】        図３
2006245846.tif 000002
【特許請求の範囲】
【請求項１】
被制御装置をリモコン装置により遠隔操作する遠隔操作システムであって、
プログラムキーを設定するプログラムキー設定モードで、リモコン装置のテンキーが操作される毎に、プログラムキーの番号を桁上げして、操作されたテンキーの番号をプログラムキーの下位桁に順次追加し、プログラムキーの桁数が所定桁数になったときに、リモコン装置の複数の機能キーのいずれかが操作されたとき、所定桁数になったプログラムキーに操作されたリモコン装置の機能キーの機能を割り当てるプログラムキー設定手段と、プログラムキーのプログラムが有効であるか否かを判別する判別手段と、前記判別手段によりプログラムキーのプログラムが有効になっていると判別された場合、リモコン装置のテンキーをプログラムキー入力として被制御装置の動作を行い、前記判別手段によりプログラムキーのプログラムが無効になっていると判別された場合、リモコン装置のテンキーをテンキー入力として被制御装置の動作を行う制御手段と、リモコン装置のセットアップメニュキーが２回続けて操作される毎に、プログラムキーのプログラムの有効／無効を切り替える切替手段と、前記切替手段によりプログラムキーのプログラムの有効／無効が切り替えられたとき、プログラムキーの有効／無効を所定時間表示する表示手段とを備えたことを特徴とする遠隔操作システム。
【請求項２】
被制御装置をリモコン装置により遠隔操作する遠隔操作システムであって、
プログラムキーを設定するプログラムキー設定モードで、リモコン装置のテンキーが操作される毎に、プログラムキーの番号を桁上げして、操作されたテンキーの番号をプログラムキーの下位桁に順次追加し、プログラムキーの桁数が所定桁数になったときに、リモコン装置の複数の機能キーのいずれかが操作されたとき、所定桁数になったプログラムキーに操作されたリモコン装置の機能キーの機能を割り当てるプログラムキー設定手段と、プログラムキーのプログラムが有効であるか否かを判別する判別手段と、前記判別手段の判別結果に基づいて被制御装置の動作を制御する制御手段とを備えたことを特徴とする遠隔操作システム。
【請求項３】
前記制御手段は、前記判別手段によりプログラムキーのプログラムが有効になっていると判別された場合、リモコン装置のテンキーをプログラムキー入力として被制御装置の動作を行う制御手段であることを特徴とする請求項２記載の遠隔操作システム。
【請求項４】
前記制御手段は、前記判別手段によりプログラムキーのプログラムが無効になっていると判別された場合、リモコン装置のテンキーをテンキー入力として被制御装置の動作を行う制御手段であるであることを特徴とする請求項２記載の遠隔操作システム。
【請求項５】
リモコン装置のセットアップメニュキーが２回続けて操作される毎に、プログラムキーのプログラムの有効／無効を切り替える切替手段と、前記切替手段によりプログラムキーのプログラムの有効／無効が切り替えられたとき、プログラムキーの有効／無効を所定時間表示する表示手段とを更に備えたことを特徴とする請求項２記載の遠隔操作システム。
【発明の詳細な説明】
【技術分野】
【０００１】
本発明は、ＡＶ（ＡｕｄｉｏＶｉｓｕａｌ）装置等の被制御装置を遠隔操作する遠隔操作システムに係り、特に多機能リモコン装置に設けられた多くの操作キーの中から所望の操作キーを探さなくても、操作キーの簡単な操作により被制御装置を遠隔操作することができる遠隔操作システムに関する。
【背景技術】
【０００２】
近年、ＶＣＴ（Ｖｉｄｅｏ  Ｃａｓｓｅｔｔｅ  Ｔａｐｅ）に映像音声情報を記録再生するＶＣＲ（Ｖｉｄｅｏ  Ｃａｓｓｅｔｔｅ  Ｒｅｃｏｒｄｅｒ）装置、ＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）等の光ディスクに映像音声情報を記録再生するＤＶＤ装置、ＨＤ（Ｈａｒｄ  Ｄｉｓｃ）に映像音声情報を記録再生するＨＤＤ（Ｈａｒｄ  Ｄｉｓｃ  Ｄｒｉｖｅ）装置等の複数のＡＶ装置が１つのＡＶ装置に組み込まれた複合ＡＶ装置が多くなってきている。複数のＡＶ装置が組み込まれた複合ＡＶ装置を遠隔操作するリモコン装置が多機能化され、多機能リモコン装置には多くの操作キーが設けられている。そのため、複合ＡＶ装置を遠隔操作する場合、多機能リモコン装置に設けられた多くの操作キーの中から所望の操作キーを探し出して、その操作キーを操作しなければならず、複合ＡＶ装置を遠隔操作するために手間がかかるという煩わしい問題点があった。
背景技術としては、機能割り当て可能なモードで、且つ、被制御装置の複数の機能の中のある機能が選択されている状態で、その機能を割り当てたいリモコン装置の操作キーを操作することにより、操作された操作キーにその機能を割り当てるようにしたものがあった（例えば、特許文献１参照）。
また、アプリケーションに対する単数又は複数のリモコン装置の操作キーの操作をキー定義ファイルに設定し、リモコン装置の操作キーが操作されたとき、アクティブになっているアプリケーションのキー定義設定ファイルに設定された操作を実行するようにしたものがあった（例えば、特許文献２参照）。
また、テンキー入力が２桁の場合、２桁の入力値に対応するテレビ放送のチャンネルを選択し、テンキー入力が３桁で、且つ、最初の連続した２桁が「００」である場合、第３桁目の値に対応する外部入力を選択するようにしたものがあった（例えば、特許文献３参照）。
また、テレビモード時に、テンキーにより数字入力されるとテレビ放送のチャンネルを選択し、ＤＶＤモード時に、テンキーにより数字入力されるとチャプタを選択するようにしたものがあった（例えば、特許文献４参照）。
また、リモコン装置に設けられた多数の機能キーの中で使用頻度の少ない特定キーを指定時間操作することにより、そのキーの本来の機能を無視して、電子機器制御キーロックモードに設定するようにしたものがあった（例えば、特許文献５参照）。
【特許文献１】特開２００−１９７１６２号公報
【特許文献２】特開２００１−２８２４３２号公報
【特許文献３】実用新案登録第３０１６８８３号公報
【特許文献４】特開２００１−２７３０７８号公報
【特許文献５】特開平１０−２００９７０号公報
【発明の開示】
【発明が解決しようとする課題】
【０００３】
しかしながら、背景技術で述べたもののうち最初のものにおいては、機能割り当て可能なモードで、且つ、被制御装置の複数の機能の中のある機能が選択されている状態で、その機能を割り当てたいリモコン装置の操作キーを操作することにより、操作された操作キーにその機能を割り当てることができたが、メニュ画面に表示された項目を選択して、リモコン装置の操作キーを操作することによりその操作キーにメニュ画面に表示された項目の機能制御プログラムを動作させる機能を割り当てるようにしたものであって、上記問題点を解決するようにしたものではなかった。
また、次のものにおいては、アプリケーションに対する単数又は複数のリモコン装置の操作キーの操作をキー定義ファイルに設定し、リモコン装置の操作キーが操作されたとき、アクティブになっているアプリケーションのキー定義設定ファイルに設定された操作を実行することができたが、キー定義ファイルをアクティブにし、且つ、キー定義ファイルを登録モードにして、マウスによる一連の操作手順をリモコン装置の操作キーに割り当てるようにしたものであって、上記問題点を解決するようにしたものではなかった。
また、更にその次のものにおいては、テンキー入力が２桁の場合、２桁の入力値に対応するテレビ放送のチャンネルを選択し、テンキー入力が３桁で、且つ最初の連続した２桁が「００」である場合、第３桁目の値に対応する外部入力を選択することができたが、リモコン装置のテンキー入力の桁数によりテレビ放送チャンネルの選択と外部入力の選択とを行うようにしたものであって、上記問題点を解決するようにしたものではなかった。
また、更にその次のものにおいては、テレビモード時に、テンキーにより数字入力されるとテレビ放送のチャンネルを選択し、ＤＶＤモード時に、テンキーにより数字入力されるとチャプタを選択することができたが、ＴＶキー又はＤＶＤキーによりテレビモード又はＤＶＤモードに動作モードを切り替えて、テンキーにより数字入力されたとき、テレビモード又はＤＶＤモードの動作モードに応じた動作を行うようにしたものであって、上記問題点を解決するようにしたものではなかった。
また、更にその次のものにおいては、リモコン装置に設けられた多数の機能キーの中で使用頻度の少ない特定キーを指定時間操作することにより、そのキーの本来の機能を無視して、電子機器制御キーロックモードに設定することができたが、リモコン装置の操作キーのロックの設定と解除とを行うようにしたものであって、上記問題点を解決するようにしたものではなかった。
本発明は、背景技術の有するこのような問題点に鑑みてなされたものであり、その目的とするところは、複合ＡＶ装置等の被制御装置を遠隔操作する多くの操作キーが設けられた多機能リモコン装置であっても、被制御装置の動作を指令する操作キーを探すことなく、操作キーの簡単な操作で被制御装置を遠隔操作することができる遠隔操作システムを提供しようとするものである。
【課題を解決するための手段】
【０００４】
上記目的を達成するため本発明においては、被制御装置をリモコン装置により遠隔操作する遠隔操作システムであって、プログラムキーを設定するプログラムキー設定モードで、リモコン装置のテンキーが操作される毎に、プログラムキーの番号を桁上げして、操作されたテンキーの番号をプログラムキーの下位桁に順次追加し、プログラムキーの桁数が所定桁数になったときに、リモコン装置の複数の機能キーのいずれかが操作されたとき、所定桁数になったプログラムキーに操作されたリモコン装置の機能キーの機能を割り当てるプログラムキー設定手段と、プログラムキーのプログラムが有効であるか否かを判別する判別手段と、前記判別手段の判別結果に基づいて被制御装置の動作を制御する制御手段とを備える。
前記制御手段は、前記判別手段によりプログラムキーのプログラムが有効になっていると判別された場合、リモコン装置のテンキーをプログラムキー入力として被制御装置の動作を行うようにするとよい。
前記制御手段は、前記判別手段によりプログラムキーのプログラムが無効になっていると判別された場合、リモコン装置のテンキーをテンキー入力として被制御装置の動作を行うようにするとよい。
更に、リモコン装置のセットアップメニュキーが２回続けて操作される毎に、プログラムキーのプログラムの有効／無効を切り替える切替手段と、前記切替手段によりプログラムキーのプログラムの有効／無効が切り替えられたとき、プログラムキーの有効／無効を所定時間表示する表示手段とを更に備える。
これらの手段により、複合ＡＶ装置等の被制御装置を遠隔操作する多くの操作キーが設けられた多機能リモコン装置であっても、被制御装置の動作を指令する操作キーを探すことなく、操作キーの簡単な操作で被制御装置を遠隔操作することができる。
【発明の効果】
【０００５】
請求項１記載の発明に係る遠隔操作システムによれば、プログラムキーを設定するプログラムキー設定モードで、リモコン装置のテンキーが操作される毎に、プログラムキーの番号を桁上げして、操作されたテンキーの番号をプログラムキーの下位桁に順次追加し、プログラムキーの桁数が所定桁数になったときに、リモコン装置の複数の機能キーのいずれかが操作されたとき、所定桁数になったプログラムキーに操作されたリモコン装置の機能キーの機能を割り当て、プログラムキーのプログラムが有効であるか否かを判別して、プログラムキーのプログラムが有効になっている場合、リモコン装置のテンキーをプログラムキー入力として被制御装置の動作を行い、プログラムキーのプログラムが無効になっている場合、リモコン装置のテンキーをテンキー入力として被制御装置の動作を行い、リモコン装置のセットアップメニュキーが２回続けて操作される毎に、プログラムキーのプログラムの有効／無効を切り替えて、プログラムキーのプログラムの有効／無効が切り替えられたとき、プログラムキーの有効／無効を所定時間表示するようにしているので、複合ＡＶ装置等の被制御装置を遠隔操作する多くの操作キーが設けられた多機能リモコン装置であっても、被制御装置の動作を指令する操作キーを探すことなく、プログラムキーの有効／無効を切り替えて、リモコン装置のテンキーの簡単な操作で被制御装置を遠隔操作することができる。
請求項２記載の発明に係る遠隔操作システムによれば、プログラムキーを設定するプログラムキー設定モードで、リモコン装置のテンキーが操作される毎に、プログラムキーの番号を桁上げして、操作されたテンキーの番号をプログラムキーの下位桁に順次追加し、プログラムキーの桁数が所定桁数になったときに、リモコン装置の複数の機能キーのいずれかが操作されたとき、所定桁数になったプログラムキーに操作されたリモコン装置の機能キーの機能を割り当て、プログラムキーのプログラムが有効であるか否かを判別して、判別結果に基づいて被制御装置の動作を制御するようにしているので、複合ＡＶ装置等の被制御装置を遠隔操作する多くの操作キーが設けられた多機能リモコン装置であっても、被制御装置の動作を指令する操作キーを探すことなく、リモコン装置のテンキーの簡単な操作で被制御装置を遠隔操作することができる。
請求項３記載の発明に係る遠隔操作システムによれば、プログラムキーのプログラムが有効になっている場合、リモコン装置のテンキーをプログラムキー入力として被制御装置の動作させるようにしているので、プログラムキーのプログラムが有効になっているとき、リモコン装置のテンキーを操作することにより被制御装置を所望動作させることができる。
請求項４記載の発明に係る遠隔操作システムによれば、プログラムキーのプログラムが無効になっている場合、リモコン装置のテンキーをテンキー入力として被制御装置の動作させるようにしているので、プログラムキーのプログラムが無効になっているとき、リモコン装置のテンキーを操作することによりテレビ放送のチャンネル番号、光ディスクのタイトル番号を入力することができる。
請求項５記載の発明に係る遠隔操作システムによれば、リモコン装置のセットアップメニュキーが２回続けて操作される毎に、プログラムキーのプログラムの有効／無効を切り替え、プログラムキーのプログラムの有効／無効が切り替えられたとき、プログラムキーの有効／無効を所定時間表示するようにしているので、プログラムキーの有効／無効を容易に切り替えることができる。
【発明を実施するための最良の形態】
【０００６】
以下、適宜図面を参照しながら本発明を実施するための最良の形態を詳述する。図１は本発明の一実施例の遠隔操作システムの被制御装置の構成を示すブロック図であり、図２は本発明の一実施例の遠隔操作システムのリモコン装置を示す説明図であり、図３は本発明の一実施例の遠隔操作システムのプログラムキー設定画面の表示例を示す説明図であり、図４は本発明の一実施例の遠隔操作システムのプログラムキーの有効／無効の切り替え時の画面表示を示す図であり、図５は本発明の一実施例の遠隔操作システムの動作を示すフローチャートであり、図６は本発明の一実施例の遠隔操作システムの動作を示すフローチャートである。
まず、図１の本発明の一実施例の遠隔操作システムの被制御装置の構成を示すブロック図を基に説明する。
遠隔操作システムの被制御装置１は、映像音声信号が記録された光ディスク２にレーザ光を照射し、その反射光を検出して光ディスク２に記録された映像音声信号を読み出すとともに、光ディスク２にレーザ光を照射して、映像音声信号を光ディスク２に記録する光ピックアップ３と、光ピックアップ３を光ディスク２の半径方向にスレッド移動させるスレッドモータ４と、光ディスク２を回転させるスピンドルモータ５と、スレッドモータ４の回転方向と回転速度とをサーボ制御し、スピンドルモータ５の回転速度をサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された映像音声信号のＲＦ（Ｒａｄｉｏ  Ｆｒｅｑｕｅｎｃｙ）信号を増幅するとともに、光ディスク２に記録する映像音声信号のＲＦ信号を増幅するＲＦ増幅回路７と、アンテナ１５により受信されたテレビ放送電波から選択されたチャンネルのテレビ放送を受信するチューナ８と、ＲＦ信号増幅回路７により増幅された映像音声信号を基準クロックに基づいて同期検出して復調し、復調された映像音声信号の誤りを訂正して、所定の圧縮方式に基づいて圧縮された映像音声信号を伸張し、伸張された映像音声信号を復号して映像音声信号を再生するとともに、チューナ８により受信されたテレビ放送番組の映像音声信号を符号化し、符号化された映像音声信号を所定の圧縮方式に基づいて圧縮する信号処理回路９と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、被制御装置１のシステム全体を制御するマイコン１１と、リモコン装置２０から送信された赤外線信号のリモコン信号を受信して所定の電気信号のリモコン信号に変換するリモコン受信部１２とで構成されている。
遠隔操作システムの被制御装置１を遠隔操作するリモコン装置２０には、図２に示すように、被制御装置１の各種初期設定を行うためのセットアップメニュ画面の表示／非表示を指令するセットアップメニュキー２０ａ、テレビ放送のチャンネル番号、光ディスクのタイトル番号等を入力するテンキー２０ｂ、セットアップメニュ画面に表示された設定項目を選択するカーソルキー２０ｃ、カーソルキー２０ｃにより選択された設定項目の選択、設定を決定する決定キー２０ｄ、被制御装置１の再生、停止、前スキップスキップ、次チャプタスキップ等の動作を指令する複数の機能キー２０ｅ等の複数の操作キーが設けられていて、それらの操作キーを操作することにより被制御装置１を所望動作させることができるようになっている。
以上のように構成された遠隔操作システムについて、以下その動作について説明する。
まず、プログラムキーの設定動作について説明する。リモコン装置２０のセットアップメニュキー２０ａが操作されると、マイコン１１は、ＯＳＤ回路１０に文字情報信号と制御信号とを送出して、セットアップメニュ画面をモニタ装置３０の画面３０ａに表示する（図３（ａ）参照）。そして、リモコン装置２０のカーソルキー２０ｃと決定キー２０ｄとの操作によりセットアップメニュ画面に表示された設定項目のプログラムキー設定が選択されると、マイコン１１は、ＯＳＤ回路１０に文字情報信号と制御信号とを送出して、プログラムキー設定画面をモニタ装置３０の画面３０ａに表示し（図３（ｂ）参照。なお、図中の矩形枠はカーソルの位置を示している）、プログラムキーを設定するプログラムキー設定モードに切り替える。
プログラムキー設定モードで、リモコン装置２０のテンキー２０ｂが操作されると、マイコン１１は、プログラムキーの番号を桁上げして、操作されたテンキーの番号をプログラムキーの下位桁に順次追加する。そして、リモコン装置２０のテンキー２０ｂが繰り返し操作されて、プログラムキーの桁数が所定桁数、例えば、２桁になった場合に、リモコン装置２０の複数の機能キー２０ｅのいずれかが操作されると、マイコン１１は、所定桁数になったプログラムキーに操作されたリモコン装置２０の機能キー２０ｅの機能を割り当てて、マイコン１１の内蔵メモリ（図示せず）に記憶する。例えば、リモコン装置２０のテンキー２０ｂが「０」、「３」と操作された後に、リモコン装置２０の機能キー２０ｅの「ＰＬＡＹ」キーが操作されると、プログラムキー「０３」として「ＰＬＡＹ」キーの機能が割り当てられる（図３（ｂ）参照）。なお、プログラムキーは複数設定することができるようになっていて、２桁のプログラムキーの場合、「００」〜「９９」まで最大１００個設定することができる。また、設定されているプログラムキーは、リモコン装置２０のカーソルキー２０ｃの操作によりカーソルを設定変更したいプログラムキーに移動させて、リモコン装置２０の他のテンキー２０ｂと他の機能キー２０ｅとを操作することによりプログラムキーの番号と機能とを変更することができるようになっている。また、設定されたプログラムキーは、リモコン装置のカーソルキー２ｃと決定キー２０ｄとの操作により削除することができるようになっている。
次に、リモコン装置２０に被制御装置１を遠隔操作する動作について説明する。リモコン装置２０のテンキー２０ｂが操作されると、マイコン１１は、プログラムキーのプログラムが有効になっているか否かを判別して、プログラムキーのプログラムが有効になっている場合、リモコン装置２０のテンキー２０ｂの操作によりプログラムキー入力された被制御装置１の動作を行う。例えば、リモコン装置２０のテンキー２０ｂの操作により「０３」が入力された場合、マイコン１１は、リモコン装置２０の機能キーの「ＰＬＡＹ」キーが操作された場合と同様に、光ディスク２を再生する。また、プログラムキーのプログラムが無効になっている場合、マイコン１１は、リモコン装置２０のテンキー２０ｂの操作によりテンキー２０ｂ入力された被制御装置１の動作を行う。例えば、テレビ放送の受信時に、リモコン装置２０のテンキー２０ｂの操作により「１０」が入力された場合、マイコン１１は、光ディスク２のチャプタ１０の映像音声信号を再生する。
プログラムキーのプログラムが有効になっているときに、リモコン装置２０のセットアップメニュキー２０ａが２回続けて操作されると、マイコン１１は、プログラムキーのプログラムを無効に切り替え、ＯＳＤ回路１０に文字情報と制御信号とを送出して、「プログラムキー有効」をモニタ装置３０の画面３０ａに所定時間、例えば、３秒間表示する（図４参照）。また、プログラムキーのプログラムが無効になっているとき、リモコン装置２０のセットアップメニュキー２０ａが２回連続して操作されると、マイコン１１は、プログラムキーのプログラムを有効に切り替え、ＯＳＤ回路１０に文字情報と制御信号とを送出して、「プログラムキー無効」をモニタ装置３０の画面３０ａに所定時間表示する（図示せず）。このことにより、プログラムキーのプログラムの有効／無効を簡単に切り替えることができるので、リモコン装置２０のテンキー２０ｂをプログラムキー入力とテンキー入力とに使い分けることができ、多くの操作キーが設けられた多機能リモコン装置であっても、被制御装置の動作を指令する操作キーを探すことなく、リモコン装置のテンキーの操作により被制御装置を遠隔操作することができる。なお、リモコン装置２０のセットアップメニュキー２０ａを操作して、セットアップメニュ画面の設定項目を設定して、リモコン装置２０の決定キー２０ｄを操作して、リモコン装置２０のセットアップメニュキー２０ａを操作すると、プログラムキーのプログラムの有効／無効は切り替えられないようになっている。
また、図５の本発明の一実施例の遠隔操作システムの動作を示すフローチャートを基に説明する。
リモコン装置の操作キーの操作によりセットアップメニュ画面に表示された設定項目のプログラムキー設定が選択されると、プログラムキー設定モードに切り替えられて、ステップＳ１からステップＳ２に進み、ステップＳ２で、リモコン装置の操作キーの操作によりプログラムキー設定が取り消されたか否かが判断され、プログラムキー設定が取り消された場合、ステップＳ９に進み、プログラムキー設定が取り消されていない場合、ステップＳ３に進む。
ステップＳ３で、リモコン装置のテンキーが操作されたか否かが判断され、リモコン装置のテンキーが操作された場合、ステップＳ４に進み、リモコン装置のテンキーが操作されていない場合、ステップＳ２に戻って、ステップＳ２からのステップを繰り返す。
ステップＳ４で、プログラムキーの番号が桁上げされて、操作されたテンキーの番号がプログラムキーの下位桁に追加され、ステップＳ５に進む。
ステップＳ５で、プログラムキーの桁数が所定桁数になったか否かが判断され、プログラムキーの桁数が所定桁数になった場合、ステップＳ６に進み、プログラムキーの桁数が所定桁数になっていない場合、ステップＳ２に戻って、ステップＳ２からのステップを繰り返す。
ステップＳ６で、リモコン装置の操作キーの操作により所定桁数になったプログラムキーの設定が取り消されたか否かが判断され、所定桁数になったプログラムキーの設定が取り消された場合、ステップＳ９に進み、所定桁数になったプログラムキーの設定が取り消されていない場合、ステップＳ７に進む。
ステップＳ７で、リモコン装置の複数の機能キーのいずれかが操作されたか否かが判断され、リモコン装置の複数の機能キーのいずれかが操作された場合、ステップＳ８に進み、リモコン装置の複数の機能キーのいずれも操作されていない場合、ステップＳ６に戻って、ステップＳ６からのステップを繰り返す。
ステップＳ８で、所定桁数になったプログラムキーに操作されたリモコン装置の機能キーの機能が割り当てられて、ステップＳ９に進む。
ステップＳ９で、リモコン装置の操作キーの操作によりプログラムキー設定の終了が選択されたか否かが判断され、プログラムキー設定の終了が選択された場合、プログラムキー設定モードを終了し、ステップＳ１０に進んで処理を終了し、プログラムキー設定の終了が選択されていない場合、ステップＳ２に戻って、ステップＳ２からのステップを繰り返す。
また、図６の本発明の一実施例の遠隔操作システムの動作を示すフローチャートを基に説明する。
リモコン装置のテンキーが操作されると、ステップＳ１１からステップＳ１２に進み、ステップＳ１２で、プログラムキーのプログラムが有効になっているか否かが判断され、プログラムキーのプログラムが有効になっている場合、ステップＳ１３に進み、プログラムキーのプログラムが有効になっていない場合、ステップＳ１４に進む。
ステップＳ１３で、リモコン装置のテンキーの操作によりプログラムキー入力された被制御装置の動作が行われて、ステップＳ１５に進む。
ステップＳ１４で、リモコン装置のテンキーの操作によりテンキー入力された被制御装置の動作が行われて、ステップＳ１５に進む。
ステップＳ１５で、リモコン装置のセットアップメニュキーが操作されたか否かが判断され、リモコン装置のセットアップメニュキーが操作された場合、ステップＳ１６に進み、リモコン装置のセットアップメニュキーが操作されていない場合、ステップＳ２４に進んで処理を終了する。
ステップＳ１６で、セットアップメニュ画面がモニタ装置の画面に表示され、ステップＳ１７に進む。
ステップＳ１７で、リモコン装置の操作キーの操作によりセットアップメニュ画面に表示された設定項目の設定が選択されたか否かが判断され、セットアップメニュ画面に表示された設定項目の設定が選択された場合、ステップＳ１８に進み、セットアップメニュ画面に表示された設定項目の設定が選択されていない場合、ステップＳ１９に進む。
ステップＳ１８で、選択されたセットアップメニュの設定項目の設定処理が行われて、ステップＳ１９に進む。
ステップＳ１９で、リモコン装置のセットアップメニュキーが操作されたか否かが判断され、リモコン装置のセットアップメニュキーが操作された場合、ステップＳ２０に進み、リモコン装置のセットアップメニュキーが操作されていない場合、ステップＳ１７に戻って、ステップＳ１７からのステップを繰り返す。
ステップＳ２０で、セットアップメニュの設定項目の設定処理中にリモコン装置の決定キーの操作があったか否かが判断され、リモコン装置の決定キーの操作があった場合、ステップＳ２４に進んで処理を終了し、リモコン装置の決定キーの操作がなかった場合、ステップＳ２１に進む。
ステップＳ２１で、プログラムキーのプログラムが有効になっているか否かが判断され、プログラムキーのプログラムが有効になっている場合、ステップＳ２２に進み、プログラムキーのプログラムが有効になっていない場合、ステップＳ２３に進む。
ステップＳ２２で、プログラムキーのプログラムが無効にされて、「プログラムキー無効」がモニタ装置の画面に所定時間表示され、ステップＳ２４に進んで処理を終了する。
ステップＳ２３で、プログラムキーのプログラムが有効にされて、「プログラムキー有効」がモニタ装置の画面に所定時間表示され、ステップＳ２４に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例の遠隔操作システムの被制御装置の構成を示すブロック図である。
【図２】本発明の一実施例の遠隔操作システムのリモコン装置を示す説明図である。
【図３】本発明の一実施例の遠隔操作システムのプログラムキー設定画面の表示例を示す説明図である。
【図４】本発明の一実施例の遠隔操作システムのプログラムキーの有効／無効の切り替え時の画面表示を示す図である。
【図５】本発明の一実施例の遠隔操作システムの動作を示すフローチャートである。
【図６】本発明の一実施例の遠隔操作システムの動作を示すフローチャートである。
【符号の説明】
【０００８】
１  ディスク装置
２  光ディスク
３  光ピックアップ
４  スレッドモータ
５  スピンドルモータ
６  サーボ回路
７  ＲＦ増幅回路
８  チューナ
９  信号処理回路
１０  ＯＳＤ回路
１１  マイコン
１２  リモコン受信部
２０  リモコン装置
２０ａ  セットアップメニュキー
２０ｂ  テンキー
２０ｃ  カーソルキー
２０ｄ  決定キー
２０ｅ  機能キー
３０  モニタ装置
３０ａ  画面
【図１】
2006245846.tif 000003
【図２】
2006245846.tif 000004
【図３】
2006245846.tif 000005
【図４】
2006245846.tif 000006
【図５】
2006245846.tif 000007
【図６】
2006245846.tif 000008